【手続補正書】
【提出日】平成29年8月24日(2017.8.24)
【手続補正１】
【補正対象書類名】特許請求の範囲
【補正対象項目名】全文
【補正方法】変更
【補正の内容】
【特許請求の範囲】
【請求項１】
対象装置によって実施される制御操作を仮想制御インターフェースを介して有効化するための方法であって、前記仮想制御インターフェースはユーザーのヘッドマウント装置によって表示される、前記方法は、
前記仮想制御インターフェース内の第１のエリアの選択命令を検出し、選択された第１のエリアを伝達することと、
前記ユーザーの視線の位置を検出し、前記仮想制御インターフェース内の第２のエリアを伝達することと、
前記選択された第１のエリアと前記第２のエリアとが、前記対象装置によって実施される制御操作に関連付けられた同一の専用エリアに少なくとも部分的に重なるか検出することと、を有し、
前記少なくとも部分的に重なることを検出すると、前記方法は、前記制御操作を有効化することをさらに含む
ことを特徴とする、方法。
【請求項２】
前記第１のエリアの選択命令は、前記ユーザーのジェスチャの位置に対応する
ことを特徴とする、請求項１に記載の有効化するための方法。
【請求項３】
前記ジェスチャは、前記ユーザーの体の一部に関連付られる
ことを特徴とする、請求項２に記載の有効化するための方法。
【請求項４】
前記第１のエリアの選択命令は、前記ユーザーの音声コマンドに対応し、前記第１のエリアは前記専用エリアに含まれる
ことを特徴とする、請求項１に記載の有効化するための方法。
【請求項５】
前記第１のエリアは、前記専用エリアに対応する
ことを特徴とする、請求項４に記載の有効化するための方法。
【請求項６】
前記対象装置をセンサーにより検出した場合に、前記仮想制御インターフェースを表示することを含む
ことを特徴とする、請求項１から５のいずれか一項に記載の有効化するための方法。
【請求項７】
前記センサーは前記ヘッドマウント装置に含まれる
ことを特徴とする、請求項６に記載の有効化するための方法。
【請求項８】
前記センサーは前記ユーザーに装着される腕時計に含まれる
ことを特徴とする、請求項６に記載の有効化するための方法。
【請求項９】
前記センサーがカメラである
ことを特徴とする、請求項６から８のいずれか一項に記載の有効化するための方法。
【請求項１０】
前記検出することは、前記選択した第１のエリアおよび前記第２のエリアが、前記同一の専用エリアに完全に重なるかどうかを検出し、前記選択した第１のエリアおよび前記第２のエリアが、完全に前記同一の専用エリアに重なる場合のみ前記有効化することが実行される
ことを特徴とする、請求項１から９のいずれか一項に記載の有効化するための方法。
【請求項１１】
前記有効化することの実行はまた、前記選択された第１のエリアおよび前記第２のエリアの重なりの検出により条件づけられる
ことを特徴とする、請求項１から１０のいずれか一項に記載の有効化するための方法。
【請求項１２】
対象装置に関連付けられた仮想制御インターフェースを表示する手段を有するヘッドマウント装置であって、前記ヘッドマウント装置は、
前記仮想制御インターフェース内の第１のエリアの選択命令を検出し、選択された第１のエリアを伝達する手段と、
前記ヘッドマウント装置のユーザーの視線の位置を検出し、前記仮想制御インターフェース内の第２のエリアを伝達する手段と、
前記選択された第１のエリアと前記第２のエリアとが、前記対象装置によって実施される制御操作に関連付けられた同一の専用エリアに少なくとも部分的に重なるか検出する手段と、を有し、
前記少なくとも部分的に重なることを検出すると、前記ヘッドマウント装置は、アクティベートされる前記制御操作を有効化する手段をさらに有する
ことを特徴とする、ヘッドマウント装置。
【請求項１３】
前記第１のエリアの選択命令は、前記ユーザーのジェスチャの位置に対応する
ことを特徴とする、請求項１２に記載のヘッドマウント装置。
【請求項１４】
前記第１のエリアの選択命令は、前記ユーザーの音声コマンドに対応し、前記第１のエリアは前記専用エリアに含まれる
ことを特徴とする、請求項１２に記載のヘッドマウント装置。
【請求項１５】
前記第１のエリアは、前記専用エリアに対応する
ことを特徴とする、請求項１４に記載のヘッドマウント装置。
【手続補正２】
【補正対象書類名】明細書
【補正対象項目名】００５５
【補正方法】変更
【補正の内容】
【００５５】
一実施形態においては、当該電子装置４００は、例えば、Ｐ．  Ｂｏｕｒｋｅ  ｅｔ  ａｌによる論文「Ａ  Ｈｉｇｈ−Ｐｅｒｆｏｒｍａｎｃｅ  Ｈａｒｄｗａｒｅ  Ｓｐｅｅｃｈ  Ｒｅｃｏｇｎｉｔｉｏｎ  Ｓｙｓｔｅｍ  ｆｏｒ  Ｍｏｂｉｌｅ  Ａｐｐｌｉｃａｔｉｏｎｓ」で示されるような、音声コンテンツを認識するための手段を有する。
［付記１］
対象装置によって実施される制御操作を仮想制御インターフェースを介して有効化するための方法であって、前記仮想制御インターフェースはユーザーのヘッドマウント装置によって表示される、前記方法は、
前記仮想制御インターフェース内の第１のエリアの選択命令を検出し、選択された第１のエリア（２０１）を伝達するステップと、
前記ユーザーの視線の位置を検出し、前記仮想制御インターフェース内の第２のエリア（２００）を伝達するステップと、
前記選択された第１のエリアと前記第２のエリアとが、前記対象装置によって実施される制御操作に関連付けられた同一の専用エリア（１０５、１０６）に少なくとも部分的に重なるか検出するステップと、を有し、
前記少なくとも部分的に重なることを検出すると、前記方法は、前記制御操作を有効化するステップをさらに含む
ことを特徴とする、前記方法。
［付記２］
前記第１のエリアの選択命令は、前記ユーザーのジェスチャの位置に対応する
ことを特徴とする、付記１に記載の有効化するための方法。
［付記３］
前記ジェスチャは、前記ユーザーの体の一部に関連付られる
ことを特徴とする、付記２に記載の有効化するための方法。
［付記４］
前記第１のエリアの選択命令は、前記ユーザーの音声コマンドに対応し、前記第１のエリアは前記専用エリアに含まれる
ことを特徴とする、付記１に記載の有効化するための方法。
［付記５］
前記第１のエリアは、前記専用エリアに対応する
ことを特徴とする、付記４に記載の有効化するための方法。
［付記６］
前記対象装置をセンサーにより検出した場合に、前記仮想制御インターフェースを表示することを含む
ことを特徴とする、付記１から５のいずれか一項に記載の有効化するための方法。
［付記７］
前記センサーは前記ヘッドマウント装置に含まれる
ことを特徴とする、付記６に記載の有効化するための方法。
［付記８］
前記センサーは前記ユーザーに装着される腕時計に含まれる
ことを特徴とする、付記６に記載の有効化するための方法。
［付記９］
前記センサーがカメラである
ことを特徴とする、付記６から８のいずれか一項に記載の有効化するための方法。
［付記１０］
前記検出するステップは、前記選択した第１のエリアおよび前記第２のエリアが、前記同一の専用エリアに完全に重なるかどうかを検出し、前記選択した第１のエリアおよび前記第２のエリアが、完全に前記同一の専用エリアに重なる場合のみ前記有効化するステップが実行される
ことを特徴とする、付記１から９のいずれか一項に記載の有効化するための方法。
［付記１１］
前記有効化するステップの実行はまた、前記選択された第１のエリアおよび前記第２のエリアの重なりの検出により条件づけられる
ことを特徴とする、付記１から１０のいずれか一項に記載の有効化するための方法。
［付記１２］
対象装置に関連付けられた仮想制御インターフェースを表示する手段を有するヘッドマウント装置であって、前記ヘッドマウント装置は、
前記仮想制御インターフェース内の第１のエリアの選択命令を検出し、選択された第１のエリアを伝達する手段と、
前記ヘッドマウント装置のユーザーの視線の位置を検出し、前記仮想制御インターフェース内の第２のエリアを伝達する手段と、
前記選択された第１のエリアと前記第２のエリアとが、前記対象装置によって実施される制御操作に関連付けられた同一の専用エリアに少なくとも部分的に重なるか検出する手段と、を有し、
前記少なくとも部分的に重なることを検出すると、前記ヘッドマウント装置は、アクティベートされる前記制御操作を有効化する手段をさらに有する
ことを特徴とする、前記ヘッドマウント装置。
［付記１３］
前記第１のエリアの選択命令は、前記ユーザーのジェスチャの位置に対応する
ことを特徴とする、付記１２に記載のヘッドマウント装置。
［付記１４］
前記第１のエリアの選択命令は、前記ユーザーの音声コマンドに対応し、前記第１のエリアは前記専用エリアに含まれる
ことを特徴とする、付記１２に記載のヘッドマウント装置。
［付記１５］
前記第１のエリアは、前記専用エリアに対応する
ことを特徴とする、付記１４に記載のヘッドマウント装置。